(57)【要約】【課題】複数の方向から名前を認識しやすくし且つ他物を収容可能な個人情報札を提供する。【解決手段】対称な多面体又は円柱体であって、表面におけるｎ個（ｎは２以上の整数）の周方向均等位置に同一の個人情報が彫刻されているものを備える札１であって、  前記多面体又は円柱体が、軸方向一端面が閉塞し他端面が開口した中空の本体２と、本体２の開口部を閉じることのできる蓋３と、本体２と蓋３とを連結する連結具４を備えることを特徴とする。【選択図】図１
0003213149.tif 000002
【実用新案登録請求の範囲】
【請求項１】
対称な多面体又は円柱体であって、表面におけるｎ個（ｎは２以上の整数）の周方向均等位置に同一の個人情報が彫刻されているものを備える札であって、
前記多面体又は円柱体が、軸方向一端面が閉塞し他端面が開口した中空の本体と、本体の開口部を閉じることのできる蓋とを備えることを特徴とする個人情報札。
【請求項２】
更に、前記本体と蓋とを連結する連結具を備える、請求項１に記載の個人情報札。
【請求項３】
前記連結具は、前記本体の底部と蓋の頂部とを貫通する糸、紐又はワイヤーである、請求項２に記載の個人情報札。
【考案の詳細な説明】
【技術分野】
【０００１】
この考案は、複数方向からの視認性に優れ、且つ他物を収容可能な個人情報札に関する。
【背景技術】
【０００２】
従来の名札や迷子札などの個人情報札は、板状の樹脂や木材の表面に名前や二次元コードなどの個人情報が筆記具にて書かれたり、彫刻機にて彫られたりしたものであった（特許文献１、２）。これらは、いずれも平面上に名前が表示されていて、その平面を正面とする方向から眺めなければ、書かれた名前を認識しにくい。そこで、本件考案者は、複数の方向から名前を認識しやすくした名札として、対称な多面体又は円柱体であって、表面におけるｎ個（ｎは２以上の整数）の周方向均等位置に同一の名前が彫刻されているものを提案した（特許文献３）。
【先行技術文献】
【特許文献】
【０００３】
【特許文献１】特開２０１１−１６７１８１号公報
【特許文献２】特開２００６−２０９７１１号公報
【特許文献３】実用新案登録第３２１１８０９号公報
【考案の概要】
【考案が解決しようとする課題】
【０００４】
しかし、個人情報を認識しただけでは緊急時に間に合わないことがある。例えば、狭心症を合併した認知症患者が道に迷っている間に発作が起きた場合、ニトロ製剤を所持していたとしても本人はそのことすら記憶に無い。かといって、他人は前記個人情報札に表示された連絡先に連絡するか救急車を呼ぶしか対処のしようがない。
それ故、この考案の課題は、複数の方向から名前やイニシャルなどの個人情報を認識しやすく、且つ薬などの他物を収容できる個人情報札を提供することにある。
【課題を解決するための手段】
【０００５】
その課題を解決するために、この考案の個人情報札は、
対称な多面体又は円柱体であって、表面におけるｎ個（ｎは２以上の整数）の周方向均等位置に同一の個人情報が彫刻されているものを備える札であって、
前記多面体又は円柱体が、軸方向一端面が閉塞し他端面が開口した中空の本体と、本体の開口部を閉じることのできる蓋とを備えることを特徴とする。
【０００６】
この考案の個人情報札によれば、周方向均等位置に同一の個人情報が彫刻されているので、ｎ＝２であれば表裏同一となり、裏返っても個人情報が見えるし、ｎが３以上であれば常時側面からでも個人情報を認識することができる。また、彫刻で書かれているので、ｎが小さい数であって且つ個人情報部分とその他の部分とが同じ色であっても認識することができる。そして、本体が軸方向一端面が閉塞し他端面が開口した中空の形状を有し、開口部を蓋で閉じることができるので、本体内に薬、鍵、メモリーなどの他物を収容することができる。
【０００７】
本体と蓋の材質は限定されないが、木が好ましい。暖かみや趣があるからである。前記開口部は、本体と蓋とを緩み嵌合、スナップ嵌め、ねじ嵌合などすることによって閉じられてよい。また、本体と蓋の両者を連結するヒンジなどの連結具を介して閉じられてもよい。連結具として好ましいのは、前記本体の底部と蓋の頂部とを貫通する糸、紐又はワイヤーである。本体と蓋とが緩み嵌合していても、これらの糸、紐又はワイヤーによって互いに拘束されているので、両者が著しく離れることがないし、糸、紐又はワイヤーを長くすることによって、首から提げたり、手で持ちやすくしたりできるからである。
【考案の効果】
【０００８】
以上のように、この考案の個人情報札は、複数の方向から名前を認識しやすいので、取り付けの角度等に神経を使わなくてもよく個人情報札として有用であるうえ、デザイン性にも優れる。また、常時は知られたくないが、緊急時に必要な他物を内部に収容することができるので、緊急時に素早く対処することができる。
【図面の簡単な説明】
【０００９】
【図１】実施形態の個人情報札を示す斜視図である。
【図２】同個人情報札の蓋を開けた状態を示す斜視図である。
【図３】同個人情報札の蓋を開けた状態を示すもう一つの斜視図である。
【考案を実施するための形態】
【００１０】
以下、この考案を実施形態に基づいて具体的に説明する。
実施形態の個人情報札１は、木製で図１に示すように鉛直方向の稜線が滑らかに面取りされた縦長直方体状の本体２と、水平断面の輪郭が本体２のそれと同形で本体２よりも高さの低い直方体状の蓋３と、紐４と、玉５を備える。
【００１１】
本体２は、図２に示すように中空で下端面が閉塞し上端面が開口しており、上端に径小部２１を有し、正面と背面に同じ書体のカタカナで「ヤノ」という名前が彫刻されている。この彫刻は、前記名前「ヤノ」を表す線Ｌ、周縁Ｃ、及び線Ｌと周縁Ｃとの接続部Ｊを除く他部を外面から内面まで貫通させるように行われている。蓋３は、図３に示すように中空で上端面が閉塞し下端面が径小部２１の肉厚分だけ本体２よりも広く開口している。従って、径小部２１の外面に蓋３の内面が緩み嵌合可能である。
【００１２】
本体２の底部及び蓋３の頂部には紐４が通ることのできる孔２２、２３、３１、３２が鉛直方向に貫通して設けられている。玉５にも紐４が通ることのできる貫通孔が一つ設けられている。そして、紐４は、孔２２、孔３１、玉５の順に通されて結び目が形成され、玉５、孔３２、孔２３の順に通されて両端で結ばれている。玉５の上の結び目と本体２の下の結び目との距離は、本体２の高さと蓋３の高さの合計よりも十分に大きい。従って、本体２と蓋３とは、紐４によって互いに拘束されつつ容易に着脱可能である。
【００１３】
この個人情報札１によれば、正面と背面に同一の名前が彫刻されているので、常時名前を認識することができる。そして、彫刻で書かれているので、名前部分とその他の部分とが同じ色であっても認識することができる。また、周縁Ｃ、及び線Ｌと周縁Ｃとの接続部Ｊを除く他部が貫通していることから、他部を光が透過することができ、例えば夜間などにおいて向こう側に僅かの光源でもあれば名前を認識することができ、視認性に優れる。更に、本体２が有底の中空体であって蓋３で開閉可能であるから、内部に薬、鍵、メモリーなどの他物を収容することができる。従って、認知症患者や迷った幼児などの緊急事態に最速最適の対応をすることができる。
【００１４】
個人情報札の輪郭としては、円柱、正三角柱、正五角柱など、種々の多面体形状であってよい。また、前記彫刻は、前記名前を表す線Ｌを貫通させるものであってよい。本体２及び蓋３の材質は、樹脂や金属であってもよい。
【符号の説明】
【００１５】
１  個人情報札
２  本体
３  蓋
４  紐
５  玉
【図１】
0003213149.tif 000003
【図２】
0003213149.tif 000004
【図３】
0003213149.tif 000005